(57)【要約】【課題】  圧縮映像情報とベースバンド映像情報の両方に対応可能にして、映像情報の利便性を向上させる。【解決手段】  本発明に係る表示装置は、暗号化された圧縮映像情報および、暗号化された第１ベースバンド映像情報を入力可能な入力部と、前記入力部より入力された圧縮映像情報及び第１ベースバンド映像情報の暗号を復号する暗号復号部と、前記暗号復号部で復号された圧縮映像情報を伸張して第２ベースバンド映像情報を得るための伸張部と、前記暗号復号部で復号された第１ベースバンド映像情報、及び前記伸張部からの第２ベースバンド映像情報の少なくともいずれかを表示する表示部とを備える。【選択図】図１
2009071558.tif 000002
【特許請求の範囲】
【請求項１】
暗号化された圧縮映像情報および、暗号化された第１ベースバンド映像情報を入力可能な入力部と、
前記入力部より入力された圧縮映像情報及び第１ベースバンド映像情報の暗号を復号する暗号復号部と、
前記暗号復号部で復号された圧縮映像情報を伸張して第２ベースバンド映像情報を得るための伸張部と、
前記暗号復号部で復号された第１ベースバンド映像情報、及び前記伸張部からの第２ベースバンド映像情報の少なくともいずれかを表示する表示部と、
を備えることを特徴とする表示装置。
【請求項２】
前記表示装置は、更に、前記復号された第１ベースバンド映像情報を圧縮する圧縮部と、蓄積部とを備え、前記蓄積部は、前記圧縮部にて圧縮さた第１ベースバンド映像情報と前記暗号複合部で複合された圧縮映像情報の少なくともいずれかを蓄積可能であることを特徴とする請求項１記載の表示装置。
【請求項３】
前記圧縮部は、前記暗号復号部で複合された圧縮映像情報に対し、該圧縮映像情報のビットレートよりも低いレートとなるようにビットレートを変換することを特徴とする請求項２記載の表示装置。
【請求項４】
前記入力部より入力された圧縮映像情報は、該映像情報を表示する時の回転情報を含み、更に、前記表示装置は、該回転情報に従い、前記伸張部で伸張された映像情報の回転処理部を有し、
該回転処理部にて回転処理された映像情報を前記表示部で表示することを特徴とする請求項１記載の表示装置。
【請求項５】
前記入力部は、第１の復調方式に対応する第１の復調回路と、第２の復調方式に対応する第２の復調回路とを備え、
前記入力部に入力された第１ベースバンド映像情報の中の第１ビット情報は、前記第１の復調回路により復調され、
前記入力部に入力された第１ベースバンド映像情報の中の、前記第１ビット情報よりも優先度が低い第２ビット情報は、前記第２の復調回路により復調され、
前記第１の復調回路の出力である第１ビット情報と、前記第２の復調回路の出力である第２ビット情報とを合成して前記暗号複合部に供給することを特徴とする請求項１記載の表示装置。
【発明の詳細な説明】
【技術分野】
【０００１】
本発明は、表示装置に係り、特に圧縮映像情報とベースバンド映像情報の両方に対応可能な表示装置に関するものである。
【背景技術】
【０００２】
映像機器と、他の映像機器である映像表示装置とを接続して映像などを視聴するために、アナログ接続をして映像信号と音声信号を伝送する方法が用いられてきた。しかしながら、デジタル機器の普及に伴い、画質劣化防止の視点、著作権保護の視点から、デジタル接続をし、映像信号と音声信号とを暗号化して伝送する方法が用いられている。
【０００３】
デジタル伝送の一例として、ＩＥＥＥ１３９４規格に準拠した１本のケーブルを用いるものが知られている。これは、送受信を行う機器間で相互認証を行い、その認証後に映像信号と音声信号を多重し、その多重データをＤＴＣＰと呼ばれる暗号処理をして送信するものである。
【０００４】
他の例としては、ＨＤＭＩ方式が知られている。ＨＤＭＩ方式では、高精細映像信号のベースバンド信号と音声信号を時分割多重して、ＨＤＣＰと呼ばれる暗号化処理をして送信可能とするものである。
【０００５】
このような、デジタル化した映像信号と音声信号とを多重化して送信する従来技術としては、例えば下記特許文献１に開示されている。
【０００６】
【特許文献１】特開２００２−２３２３７７号公報
【発明の開示】
【発明が解決しようとする課題】
【０００７】
上記ＩＥＥＥ１３９４規格は、ネットワークとして使用され、その送受信できる伝送レートも限られているため、情報量の多い高精細映像信号をそのままベースバンド信号の状態で送ることができない。このため、ＩＥＥＥ１３９４規格においては、ベースバンド信号を圧縮して伝送レートを低減して伝送しなければならないという問題がある。一方、ＨＤＭＩ方式では、伝送された高精細映像信号を受信する機器が、その受信した信号を記録することについては考慮されていない。
【０００８】
また、これらの方式では、いずれも家庭内におかれた据え置き機器間の接続を前提にしており、デジタルカメラや携帯電話などの持ち運びが可能な機器と映像表示装置とを便利に接続することに対する配慮が充分ではなかった。
【０００９】
本発明は、かかる課題に鑑みて為されたものである。そして本発明は、表示装置において映像情報の利便性を向上させるための技術を提供するものにある。また、デジタルカメラや携帯電話などの持ち運びが可能な機器と映像表示装置とを利便性良く接続するための技術を提供するものでもある。
【課題を解決するための手段】
【００１０】
本発明は、暗号化された圧縮映像情報および、暗号化された第１ベースバンド映像情報を入力可能な入力部と、前記入力部より入力された圧縮映像情報及び第１ベースバンド映像情報の暗号を復号する暗号復号部と、前記暗号復号部で複合された圧縮映像情報を蓄積する蓄積部と、前記暗号復号部で復号された圧縮映像情報を伸張して第２ベースバンド映像情報を得るための伸張部と、前記暗号復号部で復号された第１ベースバンド映像情報、及び前記伸張部からの第２ベースバンド映像情報の少なくともいずれかを表示する表示部とを備えることを特徴とする。
【００１１】
上記のように構成された表示装置は、復号された第１ベースバンド映像情報または前記伸張部からの第２ベースバンド映像情報を表示することが可能になるので、デジタルカメラや携帯電話などの持ち運びが可能な機器と映像表示装置と接続された場合や、これら持ち運びが可能な機器通しの信号接続を行う場合に、利便性良く、互いの映像情報を表示することが可能になる。
【発明の効果】
【００１２】
本発明によれば、表示装置において映像情報の利便性を向上させることが可能となる。
【発明を実施するための最良の形態】
【００１３】
以下、本発明の好ましい実施の形態について、図面を用いて説明する。
【実施例１】
【００１４】
図１は、本発明の第１実施例を示している。図１では、映像機器として例えば３つの映像機器を示している。一つは、携帯電話の基地局アンテナ２０または放送送信タワー３０からのデジタル放送信号を受信可能な例えば可搬型の映像機器である映像機器１００、一つは映像表示装置２００、更にもう一つは、例えばチューナなどの、放送送信タワー３０からのデジタル放送信号を受信可能な受信機３００である。映像機器１００と映像表示装置２００は例えば双方向インタフェース１０で接続され、更に映像表示装置２００と受信機３００は別の双方向インタフェース１１で接続されている。これにより、各機器間において、映像信号やその他情報、信号の双方向通信を可能としている。
【００１５】
本実施例において、持ち運びのできる映像機器１００は、具体的にはデジタルカメラ、ビデオカメラ、携帯電話機、ゲーム機、パーソナルメディアプレーヤなどである。それぞれの形態に応じて必要な構成要素は必ずしも同じではないが、図１に示す実施例では主に外部との入出力として必要な構成要素を記載している。
【００１６】
図１において、携帯電話の基地局アンテナ２０と映像機器１００のアンテナ１０２は信号の送受信を行う。映像機器１００を携帯電話として使用する場合には、通常の携帯電話としての信号処理が行われる。また、映像機器１００は、携帯電話の基地局アンテナ２０から送信された映画などのコンテンツを受信することもできる。この場合、コンテンツを映像機器１００に内蔵した表示装置、音声出力装置で視聴することもできるし、端子１０１、接続ケーブル１０、端子２０１を介して外部の映像表示装置２００で、大画面で視聴することもできる。さらには、コンテンツを視聴しながら、あるいは後でコンテンツを視聴するために、該コンテンツを映像機器１００に内蔵された蓄積媒体、あるいは映像機器１００に接続された蓄積媒体（例えば、メモリ１２１）に記録することもできる。メモリ１２１は映画などの記録のための記録媒体として使用することもできる。
【００１７】
同様に、放送送信タワー３０から放送された番組は、映像機器１００の放送受信機１８０で受信され、映像機器１００で視聴することもできるし、映像機器１００に内蔵された蓄積媒体（図示せず）、あるいは接続された蓄積媒体（例えば、メモリ１２１）に記録することもできる。さらに、端子１０１、接続ケーブル１０、端子２０１を介して映像表示装置２００で視聴することもできる。
【００１８】
また、放送送信タワー３０から放送された番組は、受信機３００に接続された受信アンテナ３１０で受信され、アンテナ端子３０２を介して受信機３００に入力され、適宜信号処理をされた後、端子３０１、接続ケーブル１１、端子２０２を介して映像表示装置２００で視聴される。また、視聴と同時に、あるいは、視聴とは別に選択した番組について内蔵された蓄積媒体（図示せず）やメモリインタフェース３２０を介してメモリ３２１に蓄積することもできる。受信機３００で記録されたメモリ３２１を映像機器１００のメモリインタフェース１２０に接続することもできる。映像機器１００を宅外に持ち出して映像機器１００に内蔵された表示装置（図示せず）に表示させれば、家庭で録画した番組を宅外で視聴することもできる。
【００１９】
さらにはまた、映像機器１００に撮像装置１１０、マイク１１２を搭載することで、音声とともに静止画、動画を撮影することができ、適宜内蔵された蓄積媒体（図示せず）やメモリ１２１に蓄積できる。内蔵された蓄積媒体やメモリ１２１に蓄積した映像、音声は端子１０１、接続ケーブル１０、端子２０１を介して、映像表示装置２００で視聴できる。
【００２０】
図１に示す実施例では、映像機器１００の端子１０１と映像表示装置２００の端子２０１、受信機３００の端子３０１と映像表示装置２００の端子２０１をそれぞれ接続ケーブル１０、１１などの有線ケーブルで接続する場合について示している。しかしながら、これら映像機器間で信号の送受信を行う場合に、有線ケーブルを用いて接続する必要性はなく、無線で接続しても良い。無線接続とすれば、配線のわずらわしさ、配線の整理が不要である。接続ケーブルを用いた場合には、無線接続の場合に比べて、雑音などの妨害に対して強いという利点がある。
【００２１】
図２は、本発明の第１実施例を示すものであって、図１の映像機器１００の具体的な構成を示したものである。図２において、撮像装置１１０では、光学系を通して入力された動画や静止画画像を取り込み、電気信号に変換する。圧縮回路１１１では、動画の場合には、例えばＭＰＥＧ２、ＭＰＥＧ４、ＡＶＣ／Ｈ．２６４などの圧縮方式を用いて、また、静止画の場合には、例えばＪＰＥＧなどの圧縮方式を用いて、取り込まれた画像を効率よくビット圧縮する。
【００２２】
一方、マイク１１２では音波を電気信号に変換する。圧縮回路１１３では、例えばＭＰＥＧオーディオなどの圧縮方式を用いて、取り込んだ音声信号を効率よくビット圧縮する。
【００２３】
映像機器１００で静止画を撮影する場合に、撮影する対象に応じて映像機器を回転させ、横位置で使用したり、縦位置で使用したりして撮影を行う。センサ１１４は映像機器１００を横位置で撮影に使用したか、縦位置で撮影に使用したかを検出する。縦位置で使用した場合には、映像機器１００の右を上にしたか左を上にしたかも同時に検出する。センサ１１４で検出された情報はマイクロプロセッサ１１５に入力される。
【００２４】
多重回路１１６には圧縮回路１１１、１１３からのビット圧縮された映像信号、音声信号、さらには、マイクロプロセッサ１１５からの各種情報が入力され、所定のフォーマットに従い多重される。静止画を撮影した場合には、通常は音声信号を取り込まないが、静止画撮影に合わせて音声信号を多重しても良い。
【００２５】
マイクロプロセッサ１１５からの各種情報としては、センサ１１４を使用した位置情報（横、右縦、左縦）、日付、撮影時の露出情報、その他などである。
【００２６】
図３は、画像圧縮で一般に行われているブロックごとの信号処理の順番を示した図である。図３の（ａ）に示すように、画像の上段左から右へ順番に信号処理を行い、次いで２段目の左から右へ順番に信号処理を行う。図３の（ｂ）に示すように映像機器１００の右を上に縦位置にした場合には、左列の下から上へ、次いで左から２列目の下から上に信号処理を行う。図３の（ｃ）に示すように、映像機器１００の左を上に縦位置にした場合には、右列の上から下へ、次いで右から２列目の上から下に信号処理を行う。
【００２７】
撮影時に縦位置にした場合には、左右のどちらを上にしたかの情報がないと、撮影した映像を表示装置に示すときに撮影したとおりに表示することができない。そのために、上述のように映像信号及び音声信号に、マイクロプロセッサから１１５からの各種情報として位置情報を多重するのである。圧縮信号を伸張し、表示装置の出力に合わせて、位置情報を用いて伸張した画像を９０度回転の信号処理を行うことで、撮影したとおりの表示を行うことができる。
【００２８】
また、位置情報を多重するのではなく、図２において、マイクロプロセッサ１１５から圧縮回路１１１へ向かう点線で示されるように、マイクロプロセッサ１１５から圧縮回路１１１に位置情報を与え圧縮回路１１１を制御する。これにより圧縮回路１１１は、圧縮信号処理自体を映像の撮影動作や映像機器１００の撮影位置に従って行うことで、再生時に回転処理をする必要をなくすことができる。例えば、図３の（ｄ）、（ｅ）に示すように、位置情報を元に、撮影時の画像の上段左から右へ、続いて２段目の左から右へ圧縮信号処理を行うことで、再生時に撮影したとおりの表示を行うことができる。
【００２９】
映像機器１００で、静止画と動画の両方を撮影できる場合、前記したように静止画を撮影する場合に横位置で撮影したり、縦位置で撮影したりする。同様に、動画撮影の場合でも映像機器１００を縦位置で使用することを考える使用者がいる。
【００３０】
動画像の場合には、回転の信号処理は一般には準備されておらず、そのまま映像表示装置２００で表示すると横に回転した映像を表示することになり、使用者にとって意図しない撮影になってしまう。
そこで、動画モードで撮像する場合において、使用者が映像機器１００を回転させて使用した場合、センサ１１４が縦位置での使用を検出し、マイクロプロセッサ１１５にて表示装置１６０に注意を喚起するメッセージを表示する。表示装置１６０は撮像装置１１０で撮像している画像のモニタとして使用しており、撮影しながらメッセージを確認することが容易に行え、意図しない場合には使用者が通常の横位置での撮影に変更するように注意を喚起する。
【００３１】
また、同時に、縦位置での使用の場合には、マイクロプロセッサ１１５から圧縮回路１１１に位置情報を送り圧縮回路１１１を制御する。これにより、例えば圧縮回路１１１は圧縮の信号処理を例えば図３の（ｄ）、（ｅ）に示すように、映像の撮影動作や映像機器１００の撮影位置に従って再生できるように、縦位置の最上段、左から右に向け圧縮信号処理を行う。これにより、現行のテレビにおいても縦位置で視聴することができる。その詳細説明は後で行う。
【００３２】
図２で、多重回路１１６で多重された信号は暗号／暗号復号回路１４０を介して蓄積装置１３０に蓄積される。蓄積装置として、例えば、ハードディスク装置、光ディスク装置、半導体メモリ装置などを使用することが可能であり、どのような蓄積装置を用いるかは、所望の蓄積容量、大きさ、蓄積媒体の取り出しの容易性、価格などを考慮して決めれば良い。また、信号処理回路１２４、メモリインタフェース１２０を介してメモリ１２１に蓄積することもできる。
【００３３】
個人で撮影した情報に関しては、撮影した本人に著作権があるため、通常は、蓄積に際し、暗号化は不要である。しかし、蓄積装置１３０で蓄積した媒体を紛失する可能性もあるので、多重回路１１６の出力信号を暗号／暗号復号回路１４０で暗号化した後、蓄積装置１３０、あるいはメモリ１２１に蓄積することで、安全性を高めることができる。
【００３４】
映像機器１００が取り外しのできる（リムーバブル）メモリに対応している場合や、携帯電話機能や無線ＬＡＮ機能を有する場合もある。メモリインタフェース１２０はリムーバブルなメモリ１２１のインタフェースであり、他の機器で静止画や動画の映像、音声コンテンツをメモリ１２１に記録し、それをインタフェース１２０に接続することで信号処理回路１２４、暗号／暗号復号回路１４０を介して蓄積装置１３０に記録することができる。
【００３５】
この時、メモリ１２１に記録されたコンテンツが著作権保護されており、複製が制限されている否かを、信号処理回路１２４で検出し、条件に従って暗号／暗号復号回路１４０で暗号化して蓄積装置１３０に移動する。
【００３６】
同様に、静止画や動画の映像、音声コンテンツが無線インタフェース１２２で受信され、入力された場合にも、信号処理回路１２４、暗号／暗号復号回路１４０を介して蓄積装置１３０に記録される。この場合にも、コンテンツの著作権保護、複製制限の条件に従い、必要に応じて暗号／暗号復号回路１４０で暗号化する。
【００３７】
蓄積装置１３０に蓄積されたコンテンツを再生して視聴する場合には、図示しない入力キーやリモコンなどを用いて視聴したいコンテンツを選択し、選択されたコンテンツは蓄積装置１３０から読み出されて、暗号／暗号復号回路１４０で暗号を復号し、逆多重回路１４１で映像信号と音声信号に分離される。
【００３８】
また、放送受信機１８０で放送を受信した場合には、放送のための暗号を暗号／暗号復号回路１４０で解き、必要に応じ、蓄積のための暗号化処理を同じく暗号／暗号復号回路１４０で行って、蓄積装置１３０、メモリ１２１に記録する。受信放送を直接視聴する場合には逆多重回路１４１映像信号と音声信号に分離される。
【００３９】
分離され圧縮された映像信号は伸張回路１４２で伸張され、信号処理回路１５０に入力される。信号処理回路１５０では、表示装置１６０の走査線に合わせて走査線変換を行い、表示装置１６０に出力する。
【００４０】
分離され圧縮された音声信号は伸張回路１４３で伸張され、音声出力装置１６１に出力される。このように、映像機器１００は表示装置１６０と音声出力装置１６１を有するので、外部に映像表示装置を接続することなくそのまま視聴することも可能である。なお、映像信号と音声信号の伸張処理に要する時間の違い、走査線変換処理の有無などにより映像表示、音声出力などに時間差があると違和感が生じる。特に、映像信号処理に時間を要し、音声信号が映像信号に先行すると違和感が大きくなるので、例えば伸張処理内で音声信号の遅延処理を行い、いわゆるリップシンク合わせを行う。これにより、映像信号と音声信号のずれによる違和感をなくすことができる。
【００４１】
これに対し、映像信号及び音声信号を外部の映像表示装置２００で視聴する場合には、映像表示装置２００の対応可能な走査線を確認し、表示する映像信号の走査線と一致する場合にはそのまま出力し、異なる場合には、信号処理回路１５０において必要な走査線に変換した後、多重回路１７０により、信号処理回路１５１で処理された音声信号と時間軸多重を行う。信号処理回路１５１では映像信号のブランキング期間に相当する期間に音声信号を時間軸圧縮するとともに、必要に応じリップシンク合わせのための時間調整を行う。多重回路１７０で多重された映像信号と音声信号は暗号回路１７１に入力され、映像機器１００と映像表示装置２００の間を伝送するために必要な暗号処理を行い、インタフェース１７２、端子１０１を介して映像表示装置２００へ出力する。
【００４２】
前記したように、動画像にもかかわらず、映像機器１００を縦位置で使用し、信号処理を図３の（ｄ）、（ｅ）に示すように圧縮信号処理を行った場合には、信号処理１５０にて走査線変換を行い、映像表示装置２００の撮像可能な走査線数に変換して出力する。その場合、画面の左右には信号の映出されない部分が生じる。いわゆるサイドパネルの状態で表示装置１６０に表示される。
【００４３】
なお、端子１０１から出力した信号をその受信先で蓄積する場合には、圧縮された信号を伸張することなく出力する。この場合には、暗号／暗号復号回路１４０から圧縮された信号を暗号回路１７１に入力し、伝送に必要な暗号化を行った後インタフェース１７２、端子１０１を介して出力する。
上記の説明では、撮像装置１１０、マイク１１２から取り込まれた映像信号、音声信号、ならびに、メモリ１２１、無線インタフェース１２２から入力されたコンテンツは、一度蓄積装置１３０に記録された後に、再生されるようにした。しかしながら、蓄積が不要な場合や、直接視聴する場合には暗号／暗号復号回路１４０での蓄積のための暗号化や暗号複合化処理を行うことなく逆多重回路１４１で処理を行えばよい。こうすることにより、映像機器１００に内蔵された表示装置１６０と音声出力装置１６１とを用いて、映像及び音声を視聴したり、出力インタフェース１７２を介して外部に繋がれた受像機で視聴したりすることが可能になる。
【００４４】
図４は、図１に示す映像表示装置２００の具体的な構成を示したものである。同一部分には同一の符号を付し、その詳細は説明しない。
【００４５】
初めに、端子２０１または端子２０２から入力された信号が、圧縮されていない動画のベースバンド信号である場合について説明する。端子２０１または端子２０２から入力された信号は入出力インタフェース２１０を介して暗号復号回路２１１に入力される。暗号復号回路２１１では、図２に示す暗号回路１７１の暗号化に対応しており、暗号回路１７１で暗号化されたものを暗号復号する。暗号復号された信号は逆多重回路２５０に入力され、映像信号と音声信号はそれぞれ信号処理回路２５１、２５２に入力される。信号処理回路２５１では、ディスプレイ２６０の表示可能な画素数に合わせて走査線変換、解像度変換を行う。信号処理回路２５２では、映像信号のブランキングに時間軸圧縮されて多重された音声信号の時間軸を伸張し、さらに、必要に応じ、リップシンク合わせ、音質調整などを行う。信号処理回路２５１、２５２の出力信号はそれぞれディスプレイ２６０、音声出力装置２７０に入力され、視聴される。
【００４６】
次に、端子２０１あるいは端子２０２から圧縮された動画信号が入力された場合について説明する。圧縮された信号を入力する目的は、映像表示装置側２００に内蔵された蓄積装置２３０にその動画信号を蓄積することにある。
【００４７】
端子２０１あるいは端子２０２から入力された信号は入出力インタフェース２１０を介して暗号復号回路２１１に入力される。暗号復号回路２１１は図２に示す暗号回路１７１の暗号化に対応しており、暗号回路１７１で暗号化されたものを暗号復号する。暗号復号された信号は暗号／暗号復号回路２４０に入力される。暗号／暗号復号回路２４０では、蓄積しようとするコンテンツのコピー制御情報を読み出し、それに応じて蓄積のための暗号化処理を行う。暗号化された信号は蓄積装置２３０に入力され圧縮されたまま蓄積される。
【００４８】
端子２０１あるいは端子２０２より入力された圧縮された信号を蓄積しながら視聴する場合には、まず暗号復号回路２１１で暗号を解かれた圧縮信号に相当する信号が暗号／暗号復号回路２４０から逆多重回路２４１に入力される。続いて、逆多重回路２４１において、圧縮された映像信号と音声信号に分離される。分離された映像及び音声信号は、それぞれ伸張回路２４２、２４３で伸張され、ベースバンドに戻された後、それぞれ信号処理回路２５１、２５２に入力される。以下同様にディスプレイ２６０、音声出力装置２７０に入力され視聴される。
【００４９】
蓄積装置２３０に蓄えられたコンテンツを再生して視聴する場合には、蓄積装置２３０に蓄えられているコンテンツのタイトルなどをディスプレイ２６０に表示して、選択し、選択したコンテンツの信号を蓄積装置２３０から暗号／暗号復号回路２４０に入力する。暗号／暗号復号回路２４０で選択コンテンツの信号の暗号を復号し、逆多重回路２４１に入力し、以下同様に処理することで視聴することができる。
【００５０】
同様にメモリ２２１に蓄積されたコンテンツの再生も行うことができる。蓄積装置２３０に蓄えられたコンテンツの再生と同様に、メモリ２２１に蓄えられたコンテンツから視聴したいコンテンツを選択し、選択したコンテンツをメモリインタフェース２２０、信号処理回路２２４を介して暗号／暗号復号回路２４０に入力する。信号処理回路２２４では、メモリ２２１からコンテンツを読み出すのに必要な処理を行い、圧縮され、多重された映像信号と音声信号を暗号／暗号復号回路２４０に入力する。後の信号処理は蓄積装置２３０からコンテンツを読み出した場合と同様である。
【００５１】
また、蓄積装置２３０に蓄積するのと同様に、メモリ２２１にコンテンツを蓄積することもできる。その場合の処理の詳細説明は省略するが、暗号／暗号復号回路２４０で暗号化されたコンテンツは信号処理回路２２４、メモリインタフェース２２０を介してメモリ２２１に蓄積される。
【００５２】
無線で送られてくるコンテンツを視聴したり、蓄積したりする場合も同様の処理を行う。無線で送られてきた圧縮されたコンテンツは無線インタフェース２２２、信号処理回路２２４を介して暗号／暗号復号回路２４０に入力される。暗号／暗号復号回路２４０では、無線伝送に必要な暗号化処理の暗号を復号する。後の処理は、蓄積装置２３０からの再生時の処理と同様である。
【００５３】
端子２０１あるいは端子２０２から非圧縮のベースバンド信号が入力された場合にも、蓄積装置２３０、メモリ２２１にコンテンツを効率よく蓄積することができる。以下、その場合の動作について説明する。
【００５４】
端子２０１あるいは端子２０２から入力されたコンテンツは入出力インタフェース２１０、暗号復号回路２１１、逆多重回路２５０を介して、映像信号と音声信号に分離される。分離された映像信号と音声信号は複製制御回路２８０を経て、圧縮回路２８１、２８２に入力される。複製制御回路２８０には入力されたコンテンツに多重された複製制御情報を読み取り、複製の可否判断をする。複製制御情報は、指定された部分にビットを割り当てる場合や、電子透かし技術を用いて、映像情報あるいは音声情報そのものに多重することもできる。
【００５５】
圧縮回路２８１は、映像信号を例えばＭＰＥＧ２、ＭＰＥＧ４、ＡＶＣ／Ｈ．２６４などの圧縮方式を用いて圧縮する。また圧縮回路２８２では、音声信号を例えばＭＰＥＧオーディオなどの圧縮方式を用いて圧縮する。圧縮された映像信号、音声信号は多重回路２８３に入力され、多重された後、暗号／暗号復号回路に入力され、以下同様に蓄積装置２３０、メモリ２２１に蓄積することができる。これにより、著作権情報に従って、効率よくコンテンツを長時間録画することができる。
【００５６】
これまで本実施例について、主に映像機器１００から出力される映像信号と音声信号とを、映像表示装置２００へ伝送する場合に関し説明した。さらに、本実施例について、２つの映像機器１００が互いに接続される場合に関し、図６を用いて説明する。図６において、映像機器１、映像機器２は、双方とも例えば携帯電話やデジタルカメラ等の可搬型の映像機器１００により構成されており、それぞれの端子１０１の間を、双方向インタフェースである接続ケーブル１０により接続されている。このように構成することにより、携帯電話の基地局アンテナ２０からの映画などのコンテンツについて、映像機器１で受信したものを、接続ケーブル１０を介し、映像機器２へ伝送し、映像機器２の中の表示装置１６０を用いて表示したり、映像機器２の中の音声出力装置１６１を用いて音声出力したりすることが可能である。また、映像機器１の中の蓄積装置１３０に蓄積されたコンテンツを伝送する場合には、映像機器２からの制御信号の内容に基づいて、所望のコンテンツを蓄積装置１３０から読み出し、暗号／暗号復号回路１４０で暗号を復号する。それから暗号回路１７１にて、外部に伝送するために必要となる暗号処理を行った後、インタフェース１７２、端子１０１を介し出力する。このときの、映像機器２からの制御信号としては、映像機器１と映像機器２が正規の機器であることを確認するための相互認証や、信号処理の同期をとるための同期制御信号や、送信要求信号、映像機器１であることを示す識別信号などが用いられる。なお、必要に応じ、映像機器１から映像機器２へも制御信号が送信される。
【００５７】
映像機器１と２映像機器２とで送受信する信号は、このように携帯電話の基地局アンテナ２０からの信号を受信したものだけでなく、放送受信機１８０により放送波を受信したものや、蓄積装置１３０上にある蓄積されたコンテンツやメモリ１２１上にあるコンテンツなどでもよい。
【００５８】
映像機器１と映像機器２とは、例えば同一の映像機器１００である。そして、これらの映像機器同士は、上述のように双方向インタフェースで互いに接続されている。映像機器１から映像機器２に対して映像や音声等の情報を送る場合もあるが、反対に映像機器２から映像機器１へ映像や音声等の情報を送ることも可能である。ここで、映像機器１から映像機器２へ情報を送信する方向を「上り」と称し、逆に、映像機器２から映像機器１への情報を送信する方向を「下り」と定義するものとする。勿論、これとは逆方向をそれぞれ「上り」、「下り」と称してもよい。そして、映像機器１と映像機器２とを互いに接続する双方向インタフェースは、上りと下りとで伝送レートが非対称、すなわち互いに伝送レートが異なるようにされている。そして、上り方向、すなわち映像機器１から映像機器２へ、広帯域の映像や音声等の情報を送る場合は、映像機器２から映像機器１へ（映像や音声等と比較して）狭帯域の制御信号が送られる。反対に、下り方向、すなわち映像機器２から映像機器１へ広帯域の映像や音声等の情報を送る場合は、映像機器１から映像機器２へ狭帯域の制御信号が送られる。よって、上りと下りのうち、広帯域の映像や音声を送信する方向の伝送レートが高くされ、一方、狭帯域の制御信号を送信する方向の伝送レートは低くされる。このように本実施例では、異なる複数の映像機器間において、上りと下りとで異なる帯域の情報や信号を伝送するようにしているので、伝送するのに広帯域が必要な映像信号と、狭帯域でもよい制御信号とを同時に限られた周波数帯域において用いることができ、電波の使用効率を上げられるという効果がある。なお、制御信号は、一方の機器からのみ送信されるのではなく、反対側の機器からも必要に応じて送信される。
【００５９】
図７は、第１実施例について、映像表示装置２００と映像機器１００とを無線で接続した場合の構成図である。図７において、説明の簡便化のために、入出力インタフェース２１０と、インタフェース１７２以外は図示していない。このように、映像機器同士を接続する双方向インタフェースは有線ケーブルに限られるものではなく、無線により双方向インタフェースを構成してもよい。この場合には各機器の配置の自由度が高まる。
【００６０】
図８は、映像機器１００と映像表示装置２００とを無線で接続した場合の説明図である。図８において、映像機器１００、映像表示装置２００はそれぞれ図１、図２で説明したものと同一である。説明の簡便化のために、図８において、映像機器１００の構成要件については、インタフェース回路１７２のみを記載してあり、その他の構成要件については図示していない。また、映像表示装置２００については入出力インタフェース２１０のみを記載してあり、その他の構成要件については図示していない。ここで、インタフェース回路１７２、入出力インタフェース２１０は、共に双方向インタフェースであり、上記の例と同様に上りと下りとで伝送レートが非対称とされている。図８においては、アンテナ８１、８４間、アンテナ８２、８５間はそれぞれ映像信号、音声信号、コンテンツの著作権保護や複製制限条件を示す制御信号を双方向伝送するためのチャネルである。これに対し、アンテナ８３、８６間のチャネルは、機器間制御信号を伝送するためのものである。また、ビット選択回路８１１、８１２は、映像信号、音声信号、コンテンツの著作権保護や複製制限条件を示す制御信号、機器間制御信号が入力される。上述した変復調方式について、ＱＰＳＫ変復調方式は、６４ＱＡＭ変復調方式に比して、伝送誤りに対する耐性が高い。一方、伝送効率については、６４ＱＡＭ変復調方式の方がＱＰＳＫ変復調方式よりも効率が高い。ここで、映像機器１００から映像表示装置２００へ、映像と音声と、これらに関連するコンテンツの著作権保護や複製制限条件を示す制御信号を送る場合について説明する。ここで、映像機器１００から映像表示装置２００へ情報を送信する方向を上りとし、逆に、映像表示装置２００から映像機器１００へ情報を送信する方向を下りする。
【００６１】
映像機器１００が情報の送信を行うために、まず、搬送波検出回路（図示せず）により、使用チャネルが既に他の機器が占有しているか否かを調査する。この搬送波検出は、所定の期間、所定の周波数帯に搬送波が存在するか否かを検出することにより行われる。搬送波検出回路が、他の機器がそのチャネルを使用していることを検出したときは、暫く時間を空け、再度、チャネルの空き状態を調べる。その後、当該チャネルが他の機器により使用されていないことを検出したときは、チャネルが空いたことを映像機器１００のマイクロプロセッサ１１５へ通知する。マイクロプロセッサ１１５は機器間制御信号として、チャネル使用要求信号をＱＰＳＫ変復調回路８０３から出力し、チャネルの使用権を確保する。次にマイクロプロセッサ１１５は、送信要求信号をビット選択回路８１１へ出力する。誤り制御回路８４３はこの送信要求信号に対し、誤り検出・訂正用の誤り制御ビットを付加しＱＰＳＫ変復調回路８０３へ送る。ＱＰＳＫ変復調回路８０３はＱＰＳＫ変調を行い、アンテナ８３を介し、映像表示装置２００へ無線信号を送信する。一方、映像表示装置２００は、アンテナ８６により受信した無線信号をＱＰＳＫ変復調回路８０６によりＱＰＳＫ復調し、誤り制御回路８４７により、誤り検出・訂正制御を行うことにより機器間制御信号を出力し、ビット選択回路８１２へ伝える。
【００６２】
映像表示装置２００の中のマイクロプロセッサは、受信した機器間制御信号を解読し、映像機器１００からの送信要求信号とともに、映像機器１００に関する機器カテゴリ情報（表示装置なのか記録装置なのか等のカテゴリを識別するための情報）、映像機器１００の機器識別番号を受け取る。映像表示装置２００の表示画面には、映像機器１００との接続を行うか否かの表示が行われるので、この表示をもとに、使用者は映像表示装置２００のリモコン等の入力機器を用いて、接続を許可する指示を出す。この後、映像機器１００と、映像表示装置２００との間で、互いの機器カテゴリ情報、互いの機器を識別するための識別番号などを交換し、コンテンツの著作権保護や複製制限条件を遵守するための情報交換を実行し、問題がない場合には互いの接続が許可される。ここで、互いの機器が入力専用機器である場合や、出力専用機器の場合など接続することに意味がない場合、また、コンテンツの著作権保護や複製制限条件に違反する場合などは接続処理を中止し、その旨の表示がそれぞれの機器に表示される。以下、コンテンツの著作権保護や複製制限条件に問題がない場合の説明を行う。
【００６３】
インタフェース回路１７２に入力された、映像信号と、音声信号と、これらに関連するコンテンツの著作権保護や複製制限条件を示す制御信号のうち、映像信号のＭＳＢから２ビットを選択し、その２ビットに対し、誤り制御回路８４１により、誤り検出・訂正用の制御ビットを付加し、ＱＰＳＫ変復調回路８０１へ送る。そしてこの信号に対し、ＱＰＳＫ変復調回路８０１はＱＰＳＫ変調し、アンテナ８１から無線信号を送出する。また、残りの３ビット目から８ビット目までのビットに対しては、誤り制御回路８４２により、誤り検出・訂正用の制御ビットを付加し、６４ＱＡＭ変復調回路８０２へ送る。そしてこの信号に対し、６４ＱＡＭ変復調回路８０２は、６４ＱＡＭ変調し、アンテナ８２から無線信号を送出する。
【００６４】
映像表示装置２００では、アンテナ８４により受信された信号に対し、ＱＰＳＫ変復調回路８０４は、ＱＰＳＫ復調し、誤り制御回路８４５により誤り制御を行った後、映像信号の上位２ビットをビット制御回路８１２へ出力する。アンテナ８５により受信された残りの信号に対し、６４ＱＡＭ変復調回路８０５は、６４ＱＡＭ復調し、誤り制御回路８４６により誤り制御を行った後、ビット制御回路８１２へ出力する。
【００６５】
ここで、機器間制御信号について説明する。機器間制御信号は、下り方向、すなわち映像表示装置２００から映像機器１００へ信号を送出する場合には、ビット選択回路８１２から、誤り制御回路８４７を介し、ＱＰＳＫ変復調回路８０６により変調してアンテナ８６から出力する。映像機器１００は、この信号を、アンテナ８３で受信し、ＱＰＳＫ変復調回路８３を介し、ＱＰＳＫ変復調回路８０３によりＱＰＳＫ復調し、そして誤り制御回路８４３により誤り検出・訂正を行った後、ビット選択回路８１１へ伝送する。反対に、機器間制御信号を上り方向、すなわち映像機器１００から映像表示装置２００へ信号を送出する場合には、ビット選択回路８１１から、誤り制御回路８４３を介し、ＱＰＳＫ変復調回路８０３により変調してアンテナ８３から出力する。映像表示装置２００は、この信号を、アンテナ８６で受信し、ＱＰＳＫ変復調回路８０６によりＱＰＳＫ復調し、そして誤り制御回路８４７により誤り検出・訂正を行った後、ビット選択回路８１２へ伝送する。このようにすることにより、システムを構築するうえで重要な機器間制御信号に対し、雑音が多い環境においても誤動作が少なくなるという効果がある。
【００６６】
本実施例の構成ではデジタル信号の上位２ビットについて、伝送レートは低いが耐雑音性能に優れた伝送を行うことが可能となる。つまり、映像信号の上位ビットの方が画質に与える影響が大きいことを利用し、映像信号のＭＳＢから順に２ビットを取り出し、これらの情報に対し、ＱＰＳＫ変調を用いた伝送路を割り当てて、画質の劣化を少なくするものである。ところで、映像より音声情報のほうが重要なシステムにおいては、音声信号の重要な（例えば上位）２ビットに対し、ＱＰＳＫ変調を用いた伝送路に割り当てることも可能である。
【００６７】
さらに、人間が画像を認識する場合、画面の水平方向の周波数成分と画面垂直方向の周波数成分の夫々について、低域成分に対し高域成分は、比較的気にならないという傾向がある。また、画面内で動く物体のうち、早い動きに対しては人間の眼がついていかないという傾向がある。これらの傾向を利用し、画面の水平方向について、低周波成分と高周波成分に分け、低周波成分に対してＱＰＳＫ変調を用い、高周波成分に対しては６４ＱＡＭ変調を用いるようにしてもよい。このようにすることにより、限られた伝送帯域の中で、重要な情報に対しての雑音耐性を高めるとともに、全体の伝送容量を確保することが可能となる。同様に、画面の垂直方向についても、低周波成分と高周波成分に分け、低周波成分に対してＱＰＳＫ変調を用い、高周波成分に対しては６４ＱＡＭ変調を用いるようにしてもよい。このようにすることにより、限られた伝送帯域の中で、重要な情報に対しての雑音耐性を高めるとともに、全体の伝送容量を確保することが可能となる。さらに、画面の水平方向に対する周波数成分の取り扱いと、垂直方向とに対する周波数成分の取り扱いとを組み合わせ、所望の重要な情報に対しての雑音耐性を高めることも可能である。
【００６８】
上述の説明では、誤り制御回路８４１、８４２、８４３は、誤り制御回路８４１、８４２、８４３に入力された夫々のビット対し、誤り制御情報を付加するように説明したが、誤り制御回路８４１、８４２、８４３に入力されたビットをまとめて一語として扱い、この一語に対し誤り制御情報を付加してもよい。このように構成すると、誤り制御回路が簡単になり構成しやすい。
【００６９】
図８の構成を用いて、具体的に映像機器１００により撮像した複数の静止画像を、１秒ごとに切り替えて、映像表示装置２００へ伝送し、映像表示装置２００で表示することができる。映像表示装置２００からは、映像機器１００へ画像を送出するためのトリガとなる信号を送り、このトリガ信号に基づいて、映像機器１００は静止画像を切り替えて新たな静止画を映像表示装置２００へ伝送する。このように構成することにより、映像表示装置２００において画像が再生できない場合は、トリガ信号を再度、映像機器１００へ送出することにより、画像を正しく受け取れるまで繰り返すことが可能となる。この場合も、制御信号については、QPSK変調を用いているので、耐雑音性能に優れている。
【００７０】
なお、図８に示す実施例では暗号処理については詳細を説明していないが、暗号回路１７１とインタフェース回路１７２を組み合わせ、図９に示すように処理を行うこともできる。図９は、図８に示されたシステムにおいて暗号処理を行うための構成の一例を示しており、図９のシステムは、暗号／暗号復号回路８２１〜８２６、暗号処理を含むインタフェース回路８３０、８３１、誤り制御回路８４１、８４２、８４３、８４５、８４６、８４７を含んで構成される。
【００７１】
図９に示す例では図８の例と同様に、ビット選択回路８１１で所定のビットを選択し、それぞれのビットは誤り制御回路８４１、８４２により誤り制御を行った後、暗号／暗号復号回路８２１、８２２で暗号化処理され、ＱＰＳＫ変復調回路８０１、６４ＱＡＭ変復調回路８０２に入力される。また、ＱＰＳＫ変復調回路８０４、６４ＱＡＭ変復調回路８０５で復調された信号は、暗号／暗号復号回路８２４、８２５に入力され、それぞれ暗号復号された後、ビット選択回路８１２でビット合成される。このように処理することで、重要度に応じた信号処理が可能となり、重要な情報は誤りにくく、したがって画質劣化を少なくし効率よく伝送することが可能となる。
【００７２】
また、暗号／暗号復号回路８２１〜８２６に可逆符号を組み合わせることでさらに効率を上げた伝送が可能となる。例えば図９に示す例において、暗号／暗号復号回路８２１〜８２３で暗号処理を行う前に、例えば統計的性質を用いた可逆の算術符号により伝送すべきビットを削減してから、暗号化を行う。映像機表示装置２００では、暗号／暗号復号回路８２４〜８２６で暗号復号した後、暗号／暗号復号回路８２１〜８２３に対応した可逆符号の復号を行った後、誤り制御回路８４５〜８４７で誤り検出・訂正を行い、ビット選択回路８１２でビット合成する。可逆符号を組み合わせることで、伝送すべき情報の伝送レートを低減できるので、さらに効率よく伝送可能となる。
【００７３】
さらに、暗号化について補足説明する。全ての暗号回路に対して、ＡＥＳ１２８ビット暗号化処理を用いて処理すると、安全度が高い保護処理をすることが可能となる。このほか、コンテンツ暗号回路８２１に対しては、ＡＥＳ１２８ビット暗号化処理を用い、その他の暗号回路に対しては、ＤＥＳ暗号処理を用いると、システムとして重要なコンテンツ保護と、処理効率とのバランスがとれシステムを構成するのが容易になる。
【００７４】
また、さらに、機器間制御信号に従い、ベースバンド信号送信と圧縮信号送信とを切り替えられるように構成してもよい。このように構成すると、コンテンツ保護などの要求に応じて圧縮信号を送出する場合には、ＱＰＳＫ変調を用いて伝送することにより、伝送路における誤り耐性の優れた伝送が可能となる。また、ベースバンド信号を送出する場合には、６４ＱＡＭ変調により伝送効率の良い伝送が可能となる。
【００７５】
図９における映像機器１００と映像表示装置２００との動作は、図８のおける映像機器１００と映像表示装置２００との動作と基本的に同様である。映像機器１００が送信を行うために、まず、搬送波検出回路（図示せず）により、使用チャネルが既に他の機器が占有しているか否かを調査する。この搬送波検出は、所定の期間、所定の周波数帯に搬送波が存在するか否かを検出することにより、検出が行われる。搬送波検出回路が、他の機器がそのチャネルを使用していることを検出したときは、暫く時間を空け、再度、チャネルの空き状態を調べる。その後、当該チャネルが他の機器により使用されていないことを検出したときは、チャネルが空いたことを映像機器１００のマイクロプロセッサ１１５へ通知する。マイクロプロセッサ１１５は機器間制御信号として、チャネル使用要求信号をＱＰＳＫ変復調回路８０３から出力し、チャネルの使用権を確保する。次にマイクロプロセッサ１１５は、送信要求信号をビット選択回路８１１へ出力する。
【００７６】
誤り制御回路８４３はこの送信要求信号に対し、誤り検出・訂正用の誤り制御ビットを付加し、暗号／暗号復号回路８２３により暗号化し、ＱＰＳＫ変復調回路８０３へ送る。ＱＰＳＫ変復調回路８０３はＱＰＳＫ変調を行い、アンテナ８３を介し、映像表示装置２００へ無線信号を送信する。一方、映像表示装置２００は、アンテナ８６により受信した無線信号をＱＰＳＫ変復調回路８０６によりＱＰＳＫ復調し、暗号／暗号復号回路８２６により暗号復号する。この復号化された信号に対し、誤り制御回路８４７により、誤り検出・訂正制御を行うことにより機器間制御信号を出力し、ビット選択回路８１２へ伝える。映像表示装置２００の中のマイクロプロセッサは、受信した機器間制御信号を解読し、映像機器１００からの送信要求信号とともに、映像機器１００に関する機器カテゴリ情報（表示装置なのか記録装置なのか等のカテゴリを識別するための情報）、映像機器１００の機器識別番号を受け取る。映像表示装置２００の表示画面には、映像機器１００との接続を行うか否かの表示が行われるので、この表示をもとに、使用者は映像表示装置２００のリモコン等の入力機器を用いて、接続を許可する指示を出す。この後、映像機器１００と、映像表示装置２００との間で、互いの機器カテゴリ情報、互いの機器を識別するための識別番号などを交換し、コンテンツの著作権保護や複製制限条件を遵守するための情報交換を実行し、問題がない場合には互いの接続が許可される。ここで、互いの機器が入力専用機器である場合や、出力専用機器の場合など接続することに意味がない場合、また、コンテンツの著作権保護や複製制限条件に違反する場合などは接続処理を中止し、その旨の表示がそれぞれの機器に表示される。このようにして、コンテンツの著作権保護や複製制限条件に問題がない場合には接続が行われ、映像機器１００から映像表示装置２００へ映像や音声などが伝送される。
【実施例２】
【００７７】
図５は本発明の第２実施例であって、図１に示す映像表示装置２００の他の構成を示す図である。図５は一部図４に示す実施例と共通であり、その共通部分には同一番号を付しその詳細説明は省略する。図５に示された映像表示装置２００は、暗号復号回路２１２、暗号／暗号復号回路２４５、２９０、圧縮／トランスコーディング回路２９１、２９２、及び多重回路である複製制御回路２９３を含んでいる。
【００７８】
図５に示す実施例において、ベースバンド信号が端子２０１あるいは端子２０２から入力された場合には、図４に示す実施例と同様に動作する。圧縮／トランスコーディング回路２９２、２９１は、ベースバンド信号に対しては圧縮回路として動作する。圧縮された信号が端子２０１あるいは端子２０２から入力された場合には、入出力インタフェース２１０を介して暗号復号回路２１２で伝送に必要な暗号が復号され、逆多重回路２５０で圧縮された映像信号と圧縮された音声信号に分離される。それぞれの信号は複製制御回路２９０に入力され、複製の可否を示す情報から複製の可否が判断される。複製が可能な場合には、必要に応じて、圧縮／トランスコーディング回路２９１、２９２にて、より圧縮効率の良い圧縮方式を用いるなどして、圧縮映像信号及び圧縮音声信号のビットレートが低減される。圧縮／トランスコーディング回路２９１、２９２の出力信号は多重回路２９３で多重され、暗号／暗号復号回路２４５に入力される。ここで、複製制御回路２９０にて複製を許可されていることが検出された場合には、暗号／暗号復号回路２４５は、当該入力信号に対し適宜蓄積のための暗号化処理を施して、蓄積装置２３０及び／またはメモリ２２１に蓄積する。蓄積された信号を再生する場合には、蓄積装置２３０、メモリ２２１からの再生信号を暗号／暗号復号回路２４５にて暗号を復号して、逆多重回路２４１にて映像信号と音声信号に分離し、これ以降は上記と同様に処理して視聴することができる。蓄積装置２３０あるいはメモリ２２１に蓄積しながら視聴する場合にも、多重回路２９３からの信号が暗号／暗号復号回路２４５を介して逆多重回路２４１に入力され、同様に処理される。この場合には、トランスコードした画質を確認することができる。なお、蓄積をすることなく直接視聴する場合には、暗号復号回路２１２から暗号／暗号復号回路２４５を介して逆多重回路２４１に信号が入力され、ここで映像信号と音声信号に分離され以下同様に処理される。
【００７９】
図５に示す実施例では、圧縮された信号が入力された場合にも、トランスコーディングを行うことで、より高い圧縮率で効率よく蓄積を行うことができる。また、本実施例では、圧縮回路１１１、１１３を初め、信号処理をする手段を回路で実現する場合の例を示した。しかしながら、各種回路要素をソフトウェア的な手段で構成して上述した処理を行ってもよく、その場合でも同様の効果をあげることができる。本発明は、信号処理をどのように実現するかを制限するものではない。
【図面の簡単な説明】
【００８０】
【図１】本発明の実施形態を示す図。
【図２】本発明の実施形態に係る映像機器１００の一例を示す図。
【図３】圧縮信号処理の順番を示した説明図である。
【図４】本発明の実施形態に係る映像表示装置２００の一例を示す図。
【図５】本発明の実施形態に係る映像表示装置２００の他の例を示す図。
【図６】２つの映像機器同士を接続したシステムの一例を示す図。
【図７】映像表示装置と映像機器を接続したシステムの一例を示す図
【図８】２つの映像機器同士を無線接続したシステムの一例を示す図。
【図９】２つの映像機器同士を無線接続したシステムの他の例を示す図。
【符号の説明】
【００８１】
１００    映像機器
１２１、２２１、３２１    メモリ
１２２、２２２    無線インタフェース
１１０    撮像装置
１１１、１１３、２８１、２８２、２９１、２９２    圧縮回路
１１２    マイク
１１４    センサ
１１６、１７０、２８３、２９３    多重回路      
１２４、１５０、１５１、２２４、２５１、２５２    信号処理回路
１３０、２３０    蓄積装置
１４０、２４０、２４５    暗号／暗号復号回路
１４１、２５０、２４１    逆多重回路
１４２、１４３、２４２、２４３    伸張回路
１６０    表示装置
１６１、２７０    音声出力装置
１７１    暗号回路
１８０    放送受信機
２００    映像表示装置
２１１、２１２    暗号復号回路
２６０    ディスプレイ
２８０    複製制御回路
３００    受信機
【図１】
2009071558.tif 000003
【図２】
2009071558.tif 000004
【図３】
2009071558.tif 000005
【図４】
2009071558.tif 000006
【図５】
2009071558.tif 000007
【図６】
2009071558.tif 000008
【図７】
2009071558.tif 000009
【図８】
2009071558.tif 000010
【図９】
2009071558.tif 000011